(57)【要約】【課題】上昇させたケーシングと、便器と、の間に噴射された液体洗剤などの液体を堰き止めることができるトイレ装置を提供することを目的とする。【解決手段】ボウルを有する便器と、前記ボウルよりも後方における前記便器の上面に設置され機能部品を内蔵するケーシングと、前記便器から前記ケーシングを昇降させる昇降装置と、前記ケーシングの下方における前記便器の上面に設けられ、前記ケーシングが上昇した際に前記便器の上面の液体が後方に浸入することを抑制する立壁部と、を備えたことを特徴とするトイレ装置が提供される。【選択図】図３
2010270546.tif 000002
【特許請求の範囲】
【請求項１】
ボウルを有する便器と、
前記ボウルよりも後方における前記便器の上面に設置され機能部品を内蔵するケーシングと、
前記便器から前記ケーシングを昇降させる昇降装置と、
前記ケーシングの下方における前記便器の上面に設けられ、前記ケーシングが上昇した際に前記便器の上面の液体が後方に浸入することを抑制する立壁部と、
を備えたことを特徴とするトイレ装置。
【請求項２】
前記便器は、前記ボウルよりも後方において電気機器を収納可能な収納空間をさらに有し、
前記立壁部は、前記収納空間よりも前方に設けられたことを特徴とする請求項１記載のトイレ装置。
【請求項３】
前記ケーシングは、前記立壁部を収納可能な凹部を下面に有することを特徴とする請求項１または２に記載のトイレ装置。
【請求項４】
前記ケーシングは、前記ケーシングが下降した状態において前記便器と前記ケーシングとの間への液体の浸入を防止するパッキンを有し、
前記パッキンは、前記ケーシングが下降した状態において前記立壁部よりも前方に設けられたことを特徴とする請求項１〜３のいずれか１つに記載のトイレ装置。
【請求項５】
前記立壁部は、前記便器の上面と、前記ケーシングの下面と、の間において伸縮可能であり、前記ケーシングが上昇すると延伸し、前記ケーシングが下降すると収縮することを特徴とする請求項１〜４のいずれか１つに記載のトイレ装置。
【請求項６】
前記立壁部は、一端が前記ケーシングに接続され、他端が前記便器に接続されたことを特徴とする請求項５記載のトイレ装置。
【請求項７】
前記立壁部は、前記便器の上面に貼り付けられた平面部と、前記平面部から上方に延在し前記液体が後方に進入することを抑制する壁面部と、を有し、
前記ケーシングが上昇した状態において、前記平面部は前記便器の上面に対して略平行に延在し清掃が容易な領域の一部を形成することを特徴とする請求項１〜４のいずれか１つに記載のトイレ装置。
【発明の詳細な説明】
【技術分野】
【０００１】
本発明の態様は、一般的に、トイレ装置に関し、具体的には洋式腰掛便器に腰かけた使用者の「おしり」などを水で洗浄可能としたトイレ装置に関する。
【背景技術】
【０００２】
トイレ装置のなかには、例えば、便座に座った使用者の「おしり」などを洗浄する局部洗浄機能や、便座に座った使用者の「おしり」などに向けて温風を吹き付けて乾燥させる温風乾燥機能などを有する局部洗浄装置が設けられたものがある。このような局部洗浄装置が有する各種機能の機能部品は、一般的に、洋式腰掛便器（以下、単に「便器」と称する）の後方上部に設置されたケーシングに内蔵されている。このとき、局部洗浄装置のケーシングと、便器の上面と、の間の隙間に汚水が浸入し、その隙間から異臭が発生する場合がある。
【０００３】
そこで、異臭が発生することを防止するために、便座ボックス（局部洗浄装置）を上昇させる浮上ユニットを備えた便器上面設備がある（特許文献１）。特許文献１に記載された装置によれば、便器の清掃時に便座ボックスを浮上させることにより、便座ボックスの下面と、便器の上面と、の間の隙間を清掃することができる。そして、掃除の際には、使用者は、この隙間の部分をより綺麗にあるいはより清潔にしようとして、液体洗剤を噴射する場合がある。しかしながら、便座ボックス（局部洗浄装置）と便器との間に液体洗剤を噴射すると、その液体洗剤は、ケーシングの後方まで到達し、便器の後方から床に落ちるおそれがある。
【０００４】
また、便器のリム部の上面で温水洗浄装置の手前位置に水切り突条部を幅方向に亘って設けた便器の汚水浸入防止構造がある（特許文献２）。特許文献２に記載された構造によれば、浸入する汚水を水切り突条部や止水材により止水することができる。しかしながら、特許文献２に記載された構造によれば、水切り突条部や止水材に汚水が付着し、その汚水が付着した部材から異臭が発生するおそれがある。また、特許文献２に記載された構造では、温水洗浄装置（局部洗浄装置）を便器の上面から容易に上昇させることはできない。そのため、水切り突条部や止水材を容易に清掃することはできない。
【先行技術文献】
【特許文献】
【０００５】
【特許文献１】特許第４２０７７１４号公報
【特許文献２】特開２００２−３２２７２０号公報
【発明の概要】
【発明が解決しようとする課題】
【０００６】
本発明は、かかる課題の認識に基づいてなされたものであり、上昇させたケーシングと、便器と、の間に噴射された液体洗剤などの液体を堰き止めることができるトイレ装置を提供することを目的とする。
【課題を解決するための手段】
【０００７】
第１の発明は、ボウルを有する便器と、前記ボウルよりも後方における前記便器の上面に設置され機能部品を内蔵するケーシングと、前記便器から前記ケーシングを昇降させる昇降装置と、前記ケーシングの下方における前記便器の上面に設けられ、前記ケーシングが上昇した際に前記便器の上面の液体が後方に浸入することを抑制する立壁部と、を備えたことを特徴とするトイレ装置である。  
このトイレ装置によれば、例えば使用者などが、上昇したケーシングと、便器の上面と、の間の隙間に液体洗剤などの液体を噴射した場合でも、立壁部は、その液体を堰き止めることができる。これにより、液体洗剤などの液体が立壁部よりも後方に浸入することを抑制することができ、その液体が便器の後方からトイレ室の床面に落ちることを抑制することができる。
【０００８】
また、第２の発明は、第１の発明において、前記便器は、前記ボウルよりも後方において電気機器を収納可能な収納空間をさらに有し、前記立壁部は、前記収納空間よりも前方に設けられたことを特徴とするトイレ装置である。  
このトイレ装置によれば、例えば使用者などが、上昇したケーシングと、便器の上面と、の間の隙間に液体洗剤などの液体を噴射した場合でも、立壁部は、その液体を堰き止めることができる。これにより、立壁部は、液体洗剤などの液体がケーシングに内蔵された電気機器にかかることを抑制することができるため、その電気機器が故障したり損傷したりすることを抑制することができる。
【０００９】
また、第３の発明は、第１または第２の発明において、前記ケーシングは、前記立壁部を収納可能な凹部を下面に有することを特徴とするトイレ装置である。  
このトイレ装置によれば、立壁部は、ケーシングが下降した際に、そのケーシングにより押し潰されることはない。これにより、立壁部の耐久性をより向上させることができる。
【００１０】
また、第４の発明は、第１〜第３のいずれか１つの発明において、前記ケーシングは、前記ケーシングが下降した状態において前記便器と前記ケーシングとの間への液体の浸入を防止するパッキンを有し、前記パッキンは、前記ケーシングが下降した状態において前記立壁部よりも前方に設けられたことを特徴とするトイレ装置である。  
このトイレ装置によれば、パッキンは、ケーシングが下降しているときに、便器とケーシングとの間への汚水浸入を防止でき、異臭の発生を抑制することができる。
【００１１】
また、第５の発明は、第１〜第４のいずれか１つの発明において、前記立壁部は、前記便器の上面と、前記ケーシングの下面と、の間において伸縮可能であり、前記ケーシングが上昇すると延伸し、前記ケーシングが下降すると収縮することを特徴とするトイレ装置である。  
このトイレ装置によれば、ケーシングを上昇させると、立壁部は、その上昇に連動して延伸し高くなるため、液体の後方への浸入をより効果的に抑制することができる。
【００１２】
また、第６の発明は、第５の発明において、前記立壁部は、一端が前記ケーシングに接続され、他端が前記便器に接続されたことを特徴とするトイレ装置である。  
このトイレ装置によれば、立壁部は、ケーシングおよび便器に接続され、ケーシングと便器とに亘って延伸できるため、液体洗剤などの液体が便器のボウルからケーシングの下面に向かって噴射されても、その液体の後方への浸入を抑制することができる。
【００１３】
また、第７の発明は、第１〜第４のいずれか１つの発明において、前記立壁部は、前記便器の上面に貼り付けられた平面部と、前記平面部から上方に延在し前記液体が後方に進入することを抑制する壁面部と、を有し、前記ケーシングが上昇した状態において、前記平面部は前記便器の上面に対して略平行に延在し清掃が容易な領域の一部を形成することを特徴とするトイレ装置である。  
このトイレ装置によれば、例えば使用者などは、平面部や壁面部に手や清掃用具を当接させることにより、清掃可能範囲あるいは清掃すべき範囲を確認しやすい。そのため、ケーシングと、便器と、の間の隙間の部分の清掃性をより向上させることができる。
【発明の効果】
【００１４】
本発明の態様によれば、上昇させたケーシングと、便器と、の間に噴射された液体洗剤などの液体を堰き止めることができるトイレ装置が提供される。
【図面の簡単な説明】
【００１５】
【図１】本発明の実施の形態にかかるトイレ装置を表す斜視模式図である。
【図２】本実施形態のケーシングを下側から眺めた斜視模式図である。
【図３】ケーシングの前方部が上昇した状態を側方から眺めた断面模式図である。
【図４】便器の後方部における内部構造を表す斜視模式図である。
【図５】本実施形態の固定板を設置した状態を表す斜視模式図である。
【図６】本実施形態の固定板とガイドプレートとの取り付け位置を拡大して眺めた拡大模式図である。
【図７】本実施形態の表面シートの設置方法を説明するための斜視模式図である。
【図８】本実施形態の変形例にかかる立壁部を有する便器を表す斜視模式図である。
【図９】本実施形態の変形例にかかる立壁部を拡大して眺めた斜視模式図である。
【図１０】本実施形態の他の変形例にかかる立壁部を表す断面模式図である。
【図１１】本実施形態のさらに他の変形例にかかる立壁部を表す断面模式図である。
【図１２】本実施形態のさらに他の変形例にかかる立壁部を表す断面模式図である。
【図１３】本実施形態のさらに他の変形例にかかる立壁部を表す断面模式図である。
【図１４】本実施形態のさらに他の変形例にかかる立壁部を表す断面模式図である。
【図１５】本実施形態のさらに他の変形例にかかる立壁部を有するトイレ装置を表す模式図である。
【図１６】本変形例の立壁部を表す模式図である。
【発明を実施するための形態】
【００１６】
以下、本発明の実施の形態について図面を参照しつつ説明する。なお、各図面中、同様の構成要素には同一の符号を付して詳細な説明は適宜省略する。  
図１は、本発明の実施の形態にかかるトイレ装置を表す斜視模式図である。  
なお、図１（ａ）は、本実施形態にかかるトイレ装置においてハンドルを引き出した状態を表す斜視模式図であり、図１（ｂ）は、本実施形態にかかるトイレ装置においてハンドルを回動させた状態を表す斜視模式図である。
【００１７】
本実施形態にかかるトイレ装置は、前部にボウル８１０を有する便器８００と、便器８００の上部に設置された局部洗浄装置１００と、を備える。局部洗浄装置１００は、ボウル８１０の後方上部に設置されたケーシング２００と、そのケーシング２００に対して開閉自在に軸支された便座３００および便蓋４００と、を有する。また、ケーシング２００の内部には、便座３００に座った使用者の「おしり」などの洗浄を実現する局部洗浄機能部などが内蔵されている。
【００１８】
なお、ケーシング２００の内部には、例えば、便器８００のボウル８１０内の空気を吸い込み、フィルタや触媒などを介して臭気成分を低減させる脱臭機能部や、便座３００に座った使用者の「おしり」などに向けて温風を吹き付けて乾燥させる温風乾燥機能部や、トイレ室内に温風を吹き出してトイレ室を暖房する室内暖房機能部などが内蔵されていてもよい。
【００１９】
また、便器８００の後方側部には、パネル８３０が設けられている。これによれば、パネル８３０は、便器８００の側面や適宜設けられた配管などを覆い隠すことができるため、意匠性を確保することができる。
【００２０】
ケーシング２００の下部には、図１（ａ）および図１（ｂ）に表したように、ハンドル５４０が設けられている。使用者は、例えば手などを利用することにより、図１（ａ）に表した矢印Ａ１のように、ハンドル５４０を右側方に引き出すことができる。そしてさらに、使用者は、図１（ｂ）に表した矢印Ａ２のように、その引き出したハンドル５４０を回動させることができる。そうすると、ケーシング２００の前方部は、図１（ｂ）に表した矢印Ａ３のように、ケーシング２００の後方部を中心として回動し、便器８００の上面８２０から上昇して離間できる。
【００２１】
そうすると、図１（ｂ）に表したように、ハンドル５４０を矢印Ａ２の方向に回動させる前、すなわちケーシング２００の前方部が上昇する前よりも大きな隙間が、ケーシング２００と、便器８００の上面８２０と、の間において生ずる。これによれば、使用者は、ケーシング２００と、便器８００の上面８２０と、の間の隙間から清掃用具や手などを入れることにより、その隙間の部分や、ケーシング２００の下面に設けられたパッキン２２１などを容易に清掃することができる。なお、パッキン２２１は、ケーシング２００が下降しているときに、ケーシング２００と便器８００との間への汚水浸入を防止することができる。
【００２２】
また、ケーシング２００と、便器８００の上面８２０と、の間の隙間に汚れやゴミが溜まったり、パッキン２２１に汚れが付着したままの状態となることを抑制することができる。そのため、便器８００の上面８２０との間の隙間や、パッキン２２１から異臭が発生することを抑制することができる。
【００２３】
次に、ケーシング２００を上昇させる機構および動作について、図面を参照しつつさらに詳細に説明する。  
図２は、本実施形態のケーシングを下側から眺めた斜視模式図である。  
また、図３は、ケーシングの前方部が上昇した状態を側方から眺めた断面模式図である。  
なお、図２（ａ）は、ハンドル５４０を回動させる前の状態を表しており、図２（ｂ）は、ハンドル５４０を回動させた後の状態を表している。  
また、図３は、図１（ｂ）に表したＤ−Ｄ断面図である。
【００２４】
図２（ａ）および図２（ｂ）に表したように、ケーシング２００は、ケースカバー２１０と、ケースプレート２２０と、を有する。局部洗浄機能などの機能部品は、ケースプレート２２０に適宜載置され、その上方をケースカバー２１０により覆われている。ケースプレート２２０の下面には、図２（ａ）および図２（ｂ）に表したように、便器８００のボウル８１０の形状に略沿うように直線部分や湾曲部分などを有するパッキン２２１が付設されている。つまり、パッキン２２１は、ケースプレート２２０の下面におけるボウル８１０側の前端部に付設されている。
【００２５】
パッキン２２１は、例えばゴムなどの弾性を有する材料により形成されている。そのため、ケーシング２００が便器８００の上面８２０に設置された際には、パッキン２２１は、圧縮変形し便器８００の上面８２０に密着する。そのため、パッキン２２１は、ケーシング２００と便器８００との間への汚水浸入を防止できる。
【００２６】
また、ケースプレート２２０の下面には、ケーシング２００の前方部を便器８００の上面８２０から上昇させ離間させる昇降装置５００が付設されている。昇降装置５００は、図２（ａ）および図２（ｂ）に表したように、回動軸５３０と、回動軸５３０の一端に固定されたハンドル５４０と、回動軸５３０の中間部に固定された支柱５５０と、を有する。回動軸５３０は、ハンドル５４０の回動と連動して回動することができる。また、支柱５５０は、回動軸５３０に固定されているため回動軸５３０の回動と連動して回動することができる。つまり、使用者は、ハンドル５４０を回動させると、回動軸５３０を介して支柱５５０を回動させることができる。なお、回動軸５３０と支柱５５０とは、一体的に形成されていてもよい。
【００２７】
ケーシング２００は、後方部において、固定具２４０により便器８００に取り付けられ、固定具２４０により取り付けられた部分を中心として便器８００に対して回動することができる。
【００２８】
そして、ケーシング２００の前方部が下降した状態（図２（ａ）参照）から、図２（ｂ）および図１（ｂ）に表した矢印Ａ２のように、使用者がハンドル５４０を回動させると、支柱５５０は、回動軸５３０を介して伝達されたハンドル５４０からの回動力を受け、図２（ｂ）に表したように回動する。すなわち、使用者がハンドル５４０を回動させると、支柱５５０は、ケースプレート２２０の下面からみて倒立した状態となる。
【００２９】
そうすると、支柱５５０は、図３に表したように、便器８００の内部に設置されたガイドプレート８４０に支持される。その結果として、支柱５５０は、昇降装置５００が付設されたケーシング２００の前方部を便器８００の上面８２０から上昇させ離間させることができる。支柱５５０が回動する際には、回動軸５３０に固定されていない側の支柱５５０の端部は、ガイドプレート８４０の表面と当接しつつその表面上をスライドする。このとき、支柱５５０およびガイドプレート８４０は、例えば樹脂などのような摺動性のより良い材料から形成されており、また支柱５５０の端部は、略円形の断面形状を有するため、その支柱５５０は、ガイドプレート８４０の表面上を滑らかにスライドすることができる。なお、ガイドプレート８４０は、便器８００とは別部材として設けられていてもよく、便器８００と一体的に形成されていてもよい。
【００３０】
これによれば、使用者は、より小さな力で楽にハンドル５４０を回動させ、ケーシング２００の前方部を便器８００の上面８２０から上昇させ離間させることができる。また、これにより、ケースプレート２２０の下面に付設されたパッキン２２１を便器８００の上面８２０から離間させることができる。そのため、図１に関して前述したように、使用者は、ケーシング２００と、便器８００の上面８２０と、の間の隙間から清掃用具や手などを入れることにより、その隙間の部分やパッキン２２１などを容易に清掃することができる。
【００３１】
また、ケーシング２００の下方における便器８００の上面８２０には、図３に表したように、上方に立ち上げられた立壁部６００が設けられている。すなわち、立壁部６００は、図３に表したように、便器８００の上面８２０から上方に向かって延在している。そのため、使用者が、上昇したケーシング２００と、便器８００の上面８２０と、の間の隙間に液体洗剤などの液体を噴射した場合でも、立壁部６００は、その液体を堰き止めることができる。また、立壁部６００は、パッキン２２１よりも後方に設けられている。
【００３２】
これにより、液体洗剤などの液体が立壁部６００よりも後方に浸入することを抑制することができ、その液体が便器８００の後方からトイレ室の床面に落ちることを抑制することができる。また、立壁部６００は、液体洗剤などの液体がケーシング２００に内蔵された電気機器（機能部品）にかかることを抑制することができるため、その電気機器が故障したり損傷したりすることを抑制することができる。
【００３３】
またさらに、使用者は、ケーシング２００と便器８００との間の隙間の部分を清掃する際に、手や清掃用具が立壁部６００に当接することにより清掃可能範囲あるいは清掃すべき範囲を確認できる。すなわち、使用者は、清掃可能範囲あるいは清掃すべき範囲の奥行きを確認できる。そのため、使用者は、手や清掃用具を立壁部６００に当接させつつ移動させることにより、ケーシング２００下面と、便器８００の上面８２０と、の間の隙間の部分をより簡単にあるいはより楽に清掃することができる。
【００３４】
ケースプレート２２０は、図３に表したように、その下面に凹部２２３を有する。そして、ケーシング２００が下降したときには、立壁部６００は、ケースプレート２２０に設けられた凹部２２３に収納される。そのため、立壁部６００は、ケーシング２００が下降した際に、ケースプレート２２０の下面に押し潰されることはない。これにより、立壁部６００の耐久性をより向上させることができる。
【００３５】
なお、本実施形態では、ケーシング２００の前方部が、その後方部を中心として回動し、便器８００の上面８２０から上昇して離間する場合を例に挙げて説明したが、ケーシング２００が便器８００の上面８２０から上昇する動作はこれだけに限定されるわけではない。例えば、ケーシング２００の下面と、便器８００の上面８２０と、が略平行な状態を保ちつつ、ケーシング２００は、便器８００の上面８２０から上昇してもよい。つまり、昇降装置５００は、便器８００からみてケーシング２００を昇降させることができればよい。この場合でも、使用者は、ケーシング２００下面と、便器８００の上面８２０と、の間の隙間の部分を清掃することができ、立壁部６００は、液体洗剤などの液体が立壁部６００よりも後方に浸入することを抑制することができる。
【００３６】
次に、立壁部６００の構造等について、図面を参照しつつさらに詳細に説明する。  
図４は、便器の後方部における内部構造を表す斜視模式図である。  
また、図５は、本実施形態の固定板を設置した状態を表す斜視模式図である。  
また、図６は、本実施形態の固定板とガイドプレートとの取り付け位置を拡大して眺めた拡大模式図である。  
また、図７は、本実施形態の表面シートの設置方法を説明するための斜視模式図である。
【００３７】
便器８００の後方部、すなわちボウル８１０よりも後側には、図４に表したように、ポンプから適宜供給される水を貯留して加熱する熱交換器２６０や、水道管から導水された水を熱交換器２６０や洗浄ノズル（図示せず）に導く各種配管などが設けられている。なお、図示しない洗浄ノズルは、その先端部に設けられた吐水口から水を噴射して、便座に座った使用者の「おしり」などを洗浄することができる。
【００３８】
また、熱交換器２６０の内部には、貯水の水位を検知するフロートスイッチ（図示せず）が設けられ、洗浄ノズルの近傍には、その洗浄ノズルをケーシング２００から進退させるモータ（図示せず）が設けられている。つまり、便器８００の後方部には、熱交換器２６０や各種配管の他にも、フロートスイッチやモータなどの電気機器が設けられている。このように、便器８００は、図５に表したように、後方部すなわちボウル８１０よりも後側に、電気機器や熱交換器２６０や各種配管などを収納可能な収納空間８５０を有する。
【００３９】
その収納空間８５０よりも前方であって便器８００の上面８２０には、図４に表したように、立壁部６００が設けられている。立壁部６００は、ケーシング２００が上昇した際に便器８００の上面８２０を流れる液体が後方に浸入することを抑制する浸入抑制部材６１０と、便器８００と浸入抑制部材６１０との境界部に液体が浸入することを抑制する表面シート６２０と、を有する。
【００４０】
浸入抑制部材６１０は、図５に表したように、便器８００の上面８２０に付設あるいは載置される平面部６１１と、平面部６１１の後端部から上方に向かって屈曲し延在する壁面部６１３と、を有する。浸入抑制部材６１０は、便器８００の上面８２０に載置された際には、図６に表した領域Ｂ、Ｃのように、収納空間８５０に配置されたガイドプレート８４０と係合することにより位置決めされ支持される。より具体的には、浸入抑制部材６１０は後方部に係合孔６１５を有し、ガイドプレート８４０は前方部に係合凸部８４３を有する。そして、係合孔６１５と係合凸部８４３とが互いに係合することにより、浸入抑制部材６１０は、ガイドプレート８４０に位置決めされ支持される。
【００４１】
なお、浸入抑制部材６１０の位置決め方法および支持方法は、これだけに限定されるわけではない。例えば、浸入抑制部材６１０は係合凸部を有し、ガイドプレート８４０は係合孔を有し、その係合凸部と係合孔とが係合することにより、浸入抑制部材６１０は、ガイドプレート８４０に位置決めされ支持されてもよい。
【００４２】
また、例えば、浸入抑制部材６１０は、便器８００の上面８２０において適宜位置決めされ支持される限り、ガイドプレート８４０に位置決めされ支持されなくともよい。これによれば、浸入抑制部材６１０を例えば押し出し成形により形成できる、あるいは板金により形成できるといった効果が得られる。これにより、浸入抑制部材６１０の製造コストを低減することができる。
【００４３】
そして、浸入抑制部材６１０が便器８００の上面８２０に載置された後に、図７に表したように、平面部６１１の上方を覆うように表面シート６２０が取り付けられる。ここで、浸入抑制部材６１０は、例えば薬品などに耐久性を有する樹脂などにより形成され、表面シート６２０は、例えば接着性を有するフィルムなどにより形成されている。そのため、表面シート６２０は、平面部６１１と、便器８００の上面８２０と、に渡って貼り付けられることにより、浸入抑制部材６１０を便器８００の上面８２０に付設できる。この際、表面シート６２０は、平面部６１１を覆うように取り付けられ、壁面部６１３を覆うようには取り付けられない。すなわち、壁面部６１３は、図４に表したように、表面シート６２０よりも後方に配置され、上方に向かって延在している。
【００４４】
これにより、壁面部６１３は、液体洗剤などの液体が壁面部６１３よりも後方に浸入することを抑制することができ、その液体が便器８００の後方からトイレ室の床面に落ちることを抑制することができる。また、壁面部６１３は、液体洗剤などの液体が収納空間８５０に収納された電気機器などにかかることを抑制することができるため、その電気機器が故障したり損傷したりすることを抑制することができる。
【００４５】
また、平面部６１１および表面シート６２０は、便器８００の上面８２０の一定領域に存在し、壁面部６１３は、上方に向かって延在している。そのため、使用者は、ケーシング２００と便器８００との間の隙間の部分を清掃する際に、手や清掃用具を平面部６１１や表面シート６２０や壁面部６１３などに当接させることができる。そのため、使用者は、清掃すべき範囲やその奥行きを確認できる。これにより、使用者は、手や清掃用具を平面部６１１や表面シート６２０や壁面部６１３などに当接させつつ移動させることにより、ケーシング２００下面と、便器８００の上面８２０と、の間の隙間の部分をより簡単にあるいはより楽に清掃することができる。
【００４６】
なお、本実施形態では、作業者などが、浸入抑制部材６１０を便器８００の上面８２０に載置した後に、表面シート６２０を貼り付ける場合を例に挙げて説明したが、これだけに限定されるわけではない。例えば、作業者は、表面シート６２０を浸入抑制部材６１０に貼り付けた後に、その一体化した表面シート６２０および浸入抑制部材６１０を便器８００の上面８２０に付設してもよい。これによっても、前述した効果と同様の効果を得ることができる。
【００４７】
次に、本実施形態の立壁部の変形例について、図面を参照しつつ説明する。  
図８は、本実施形態の変形例にかかる立壁部を有する便器を表す斜視模式図である。  
図９は、本実施形態の変形例にかかる立壁部を拡大して眺めた斜視模式図である。
【００４８】
図４〜図７に関して前述した立壁部６００は、便器８００とは別部材の浸入抑制部材６１０および表面シート６２０を有しているが、本変形例の立壁部８６０は、便器８００と一体的に形成されている。つまり、本変形例の立壁部８６０は、図８および図９に表したように、便器８００の上面８２０の後端部に接続され、その後端部から上方に延在している。
【００４９】
これによれば、立壁部８６０は、便器８００と同様に、例えば陶器として形成することができる。そのため、立壁部８６０が後方への液体の浸入を抑制することにより、立壁部８６０やその近傍に液体や汚れが付着したときでも、立壁部８６０が陶器として形成されている場合には、使用者は、その液体や汚れをより簡単に落とすことができる。これは、陶器は、例えば、光沢のある釉薬（ゆうやく）などと呼ばれる上薬（うわぐすり）が施され焼かれているためである。
【００５０】
また、立壁部８６０が便器８００と一体的に陶器として形成された場合には、図９に表したように、立壁部８６０と、便器８００の上面８２０と、の境界部にラウンド部８６１を形成することができる。そのため、使用者は、立壁部８６０およびその近傍をより清掃しやすい。また、本変形例では、浸入抑制部材６１０や表面シート６２０などの別部材は不要となる。
【００５１】
図１０は、本実施形態の他の変形例にかかる立壁部を表す断面模式図である。  
また、図１１は、本実施形態のさらに他の変形例にかかる立壁部を表す断面模式図である。  
なお、図１０（ａ）および図１１は、ケーシング２００が便器８００の上面８２０から上昇した状態を表しており、図１０（ｂ）は、ケーシング２００が便器８００の上面８２０に下降した状態を表している。また、図１０（ａ）、図１０（ｂ）、および図１１は、図１（ｂ）に表したＤ−Ｄ断面図に相当する。
【００５２】
本変形例の立壁部６３０は、図１０に表したように、蛇腹状に形成されている。この立壁部６３０は、例えばゴムなどの弾性を有する材料により形成されている。また、立壁部６３０の上端部は、ケースプレート２２０の下面に設けられた凹部２２３の表面に接続されており、一方で、立壁部６３０の下端部は、便器８００の上面８２０に接続されている。
【００５３】
そのため、立壁部６３０は、ケーシング２００が便器８００の上面８２０から上昇すると、図１０（ａ）に表したように延伸し、ケーシング２００が便器８００の上面８２０に下降すると、図１０（ｂ）に表したように折り畳まれる。つまり、立壁部６３０は、略上下方向に伸縮可能である。そして、立壁部６３０は、ケーシング２００が下降して折り畳まれた際には、図１０（ｂ）に表したように、ケースプレート２２０の凹部に収納される。そのため、立壁部６３０は、ケーシング２００が下降した際に、ケースプレート２２０の下面に押し潰されることはない。これにより、立壁部６３０の耐久性をより向上させることができる。
【００５４】
また、ケーシング２００が上昇し、立壁部６３０が延伸した状態では、立壁部６３０は、上端部および下端部においてケースプレート２２０および便器８００にそれぞれ接続されているため、液体洗剤などの液体が立壁部６３０よりも後方に浸入することをより確実に抑制することができる。つまり、本変形例の立壁部６３０は、液体が便器８００の後方からトイレ室の床面に落ちることをより確実に抑制することができる。また、その他の効果についても、図４〜図９に関して前述した効果と同様あるいはそれ以上の効果を得ることができる。
【００５５】
なお、立壁部の蛇腹形状は、これだけに限定されるわけではなく、図１１に表した立壁部６４０のように、折返し数がより少ない蛇腹状であってもよい。図１１に表した立壁部６４０のように折返し数がより少ない場合には、その立壁部６４０は、ケーシング２００が上昇して延伸したときには、図１０に表した立壁部６３０よりも直線状に近づく。これによれば、使用者は、清掃すべき範囲やその奥行きをより確認しやすく、また立壁部６４０やその近傍をより清掃しやすい。
【００５６】
図１２は、本実施形態のさらに他の変形例にかかる立壁部を表す断面模式図である。  
なお、図１２は、ケーシング２００が便器８００の上面８２０から上昇した状態を表しており、図１（ｂ）に表したＤ−Ｄ断面図に相当する。
【００５７】
本変形例の立壁部６５０は、図１２に表したように、複数の板状部材が連結した形状を有する。それぞれの板状部材は、例えば樹脂や金属などにより形成されている。また、立壁部６５０の上端部は、ケースプレート２２０の下面に設けられた凹部２２３の表面に接続されており、一方で、立壁部６５０の下端部は、便器８００の上面８２０に接続されている。そして、本変形例の立壁部６５０は、図１０および図１１に表した立壁部６３０、６４０と同様に、略上下方向に伸縮可能である。
【００５８】
そのため、立壁部６５０は、ケーシング２００が便器８００の上面８２０から上昇すると延伸し、ケーシング２００が便器８００の上面８２０に下降すると重なるように畳まれる。すなわち、ケーシング２００が下降すると、複数の板状部材は、互いに重なった状態となり、立壁部６５０は、全体として収縮した状態となる。そして、立壁部６５０は、ケーシング２００が下降して収縮した際には、ケースプレート２２０の凹部に収納される。これについては、図１０および図１１に表した立壁部６３０、６４０と同様である。
【００５９】
そして、ケーシング２００が上昇し、立壁部６５０が延伸した状態では、立壁部６５０は、上端部および下端部においてケースプレート２２０および便器８００にそれぞれ接続されているため、液体洗剤などの液体が立壁部６５０よりも後方に浸入することをより確実に抑制することができる。また、立壁部６５０は、延伸した状態では、図１０および図１１に表した立壁部６３０、６４０よりも直線状に近いため、使用者は、清掃すべき範囲やその奥行きをより確認しやすく、また立壁部６５０やその近傍をより清掃しやすい。また、その他の効果についても、図４〜図９に関して前述した効果と同様あるいはそれ以上の効果を得ることができる。
【００６０】
図１３は、本実施形態のさらに他の変形例にかかる立壁部を表す断面模式図である。  
なお、図１３は、ケーシング２００が便器８００の上面８２０から上昇した状態を表しており、図１（ｂ）に表したＤ−Ｄ断面図に相当する。
【００６１】
本変形例の立壁部６６０は、壁面シート６６１と、壁面シート６６１を巻き取り可能な回動軸６６３と、を有する。回動軸６６３は、ケースプレート２２０の凹部２２３内に適宜取り付けられ、図示しないばねなどの弾性体により壁面シート６６１を巻き取る方向に付勢されている。また、壁面シート６６１の下端部は、便器８００の上面８２０に接続されている。
【００６２】
そのため、ケーシング２００が便器８００の上面８２０に下降するとともに、回動軸６６３は、壁面シート６６１を逐次巻き取り収縮させる。そして、壁面シート６６１は、ケーシング２００が下降して収縮した際には、ケースプレート２２０の凹部に収納される。これについては、図１０〜図１２に表した立壁部６３０、６４０、６５０と同様である。
【００６３】
一方、ケーシング２００が便器８００の上面８２０から上昇するとともに、壁面シート６６１は、回動軸６６３から引き出され延伸する。つまり、本変形例の立壁部６６０は、図１０〜図１２に表した立壁部６３０、６４０、６５０と同様に、略上下方向に伸縮可能である。
【００６４】
そして、壁面シート６６１は、ケーシング２００が上昇して延伸した際には、上端部において回動軸６６３に取り付けられ、下端部において便器８００に接続されているため、液体洗剤などの液体が壁面シート６６１よりも後方に浸入することをより確実に抑制することができる。また、立壁部６６０の壁面シート６６１は、延伸した状態では、図１０〜図１２に表した立壁部６３０、６４０、６５０よりも直線状に近いため、使用者は、清掃すべき範囲やその奥行きをより確認しやすく、また壁面シート６６１やその近傍をより清掃しやすい。また、その他の効果についても、図４〜図９に関して前述した効果と同様あるいはそれ以上の効果を得ることができる。
【００６５】
図１４は、本実施形態のさらに他の変形例にかかる立壁部を表す断面模式図である。  
なお、図１４は、ケーシング２００が便器８００の上面８２０から上昇した状態を表しており、図１（ｂ）に表したＤ−Ｄ断面図に相当する。
【００６６】
本変形例の立壁部６７０は、ケースプレート２２０の凹部２２３の表面に接続された蛇腹状の蛇腹部材６７１と、便器８００の上面８２０に固定されたリブプレート６７３と、を有する。つまり、本変形例の蛇腹部材６７１は、図１０および図１１に表した立壁部６３０、６４０のようには上端部および下端部において接続されているわけではなく、上端部においてのみケースプレート２２０に接続されている。
【００６７】
蛇腹部材６７１は、例えばゴムなどの弾性を有する材料により形成されている。そして、蛇腹部材６７１は、ケーシング２００が便器８００の上面８２０から上昇すると、自身の弾性力および自重により延伸する。  
一方、リブプレート６７３は、図４〜図７に関して前述した浸入抑制部材６１０と同様に、便器８００の上面８２０に付設あるいは載置される平面部６７３ａと、平面部６７３ａの後端部から上方に延在するリブ６７３ｂと、を有する。そして、蛇腹部材６７１は、ケーシング２００が便器８００の上面８２０に下降すると、リブプレート６７３に当接することにより折り畳まれる。つまり、蛇腹部材６７１は、略上下方向に伸縮可能である。
【００６８】
また、蛇腹部材６７１は、ケーシング２００が下降して折り畳まれた際には、ケースプレート２２０の凹部２２３に収納される。これについては、図１０および図１１に表した立壁部６３０、６４０と同様である。またさらに、リブプレート６７３のリブ６７３ｂは、ケーシング２００が下降したときには、蛇腹部材６７１と同様に凹部２２３に収納される。
【００６９】
そして、蛇腹部材６７１は、ケーシング２００が上昇すると自身の弾性力および自重により延伸するため、液体洗剤などの液体が蛇腹部材６７１よりも後方に浸入することを抑制することができる。また、便器８００の上面８２０には、上方に延在するリブ６７３ｂを有するリブプレート６７３が設けられているため、そのリブ６７３ｂは、蛇腹部材６７１と同様に、液体がリブ６７３ｂよりも後方に浸入することを抑制することができる。
【００７０】
また、蛇腹部材６７１は、上端部においてのみケースプレート２２０に接続されているため、例えば伸縮を繰り返されることによりいわゆる「へたり」が生じた場合でも、自重により延伸することができる。またさらに、蛇腹部材６７１の接続箇所は、ケースプレート２２０における１つの箇所であるため、本変形例の立壁部６７０の施工性を向上させることができる。また、その他の効果についても、図４〜図９に関して前述した効果と同様の効果を得ることができる。
【００７１】
図１５は、本実施形態のさらに他の変形例にかかる立壁部を有するトイレ装置を表す模式図である。  
また、図１６は、本変形例の立壁部を表す模式図である。  
なお、図１５（ａ）は、本変形例の立壁部を有するトイレ装置を表す斜視模式図であり、図１５（ｂ）は、本変形例の立壁部を有するトイレ装置のハンドル近傍を表す平面模式図である。  
また、図１６（ａ）は、本変形例の立壁部を表す斜視模式図であり、図１６（ｂ）は、本変形例の立壁部の動作を説明するための平面模式図である。
【００７２】
本変形例の立壁部６８０は、図１５（ａ）に表したように、便器８００のボウル８１０よりも後方において、ケーシング２００の左右方向に亘って設置されている。そして、本変形例の立壁部６８０は、図１６（ａ）に表したように、カーテンレバー６８１と、カーテンレバー６８１を回動自在に軸支する回動軸６８３と、カーテンレバー６８１の一端部に接続されたカーテン６８５と、を有する。
【００７３】
カーテン６８５は、図１０に表した立壁部６３０と同様に、例えばゴムなどの弾性を有する材料により形成され、蛇腹形状を有する。また、図１６（ｂ）に表したように、カーテン６８５の一端部は、前述したようにカーテンレバー６８１の一端部に接続され、カーテン６８５の他端部は、便器８００の上面８２０に接続されている。
【００７４】
昇降装置５００（図２および図３参照）のハンドル５４０に接続された回動軸５３０には、図１５（ｂ）および図１６（ｂ）に表したように、ハンドルレバー５３１が固定されている。このハンドルレバー５３１は、回動軸５３０に固定されているため、回動軸５３０の回動と連動して回動することができる。つまり、使用者は、ハンドル５４０を回動させると、回動軸５３０を介してハンドルレバー５３１を回動させることができる。なお、回動軸５３０とハンドルレバー５３１とは、一体的に形成されていてもよい。
【００７５】
そして、使用者がハンドル５４０を回動させる前には、すなわちハンドル５４０が図１（ａ）に表した状態にあるときには、ハンドルレバー５３１は、図１６（ｂ）に表した二点鎖線のように、略水平方向を向いている。このとき、カーテン６８５が接続されていない側のカーテンレバー６８１の他端部は、図１６（ｂ）に表した二点鎖線のように、ハンドルレバー５３１に当接している。また、このとき、カーテン６８５は、折り畳まれて収縮している。
【００７６】
この状態から、使用者が、ハンドル５４０を図１（ｂ）に表した矢印Ａ２の方向に回動させると、ハンドルレバー５３１は、図１６（ｂ）に表した矢印Ａ４にように、ハンドル５４０の回動に連動し回動軸５３０を中心として回動する。そうすると、カーテン６８５が接続されていない側のカーテンレバー６８１の他端部は、ハンドルレバー５３１により押し下げられる。つまり、カーテンレバー６８１は、ハンドルレバー５３１と当接しつつ、図１６（ｂ）に表した矢印Ａ５のように、ハンドルレバー５３１の回動に連動し回動軸６８３を中心として回動する。その結果、ハンドルレバー５３１およびカーテンレバー６８１は、図１６（ｂ）に表した実線の状態となる。
【００７７】
そうすると、カーテン６８５が接続されている側のカーテンレバー６８１の一端部は、便器８００の上面８２０から上昇する方向に押し上げられる。これにより、カーテン６８５は、カーテンレバー６８１の一端部に接続されているため、カーテンレバー６８１の回動に連動して延伸する。なお、カーテンレバー６８１は、図示しないばねなどの弾性体により、矢印Ａ５とは反対方向に付勢されている。そのため、使用者がハンドル５４０をＡ２（図１（ｂ）参照）とは反対方向に回動させると、カーテンレバー６８１は、弾性体の付勢力を受け矢印Ａ５とは反対方向に回動する。つまり、本変形例のカーテン６８５は、伸縮可能である。
【００７８】
本変形例によれば、カーテン６８５は、ハンドルレバー５３１の回動に連動して回動するカーテンレバー６８１に接続されているため、使用者が操作するハンドル５４０の回動に連動して、より確実に延伸することができる。つまり、カーテン６８５は、例えば伸縮を繰り返されることによりいわゆる「へたり」が生じた場合でも、使用者が操作するハンドル５４０の回動に連動して、より確実に延伸することができる。
【００７９】
そして、使用者がハンドル５４０を回動させケーシング２００を上昇させた状態、すなわちカーテン６８５が延伸した状態では、カーテン６８５は、上端部および下端部においてカーテンレバー６８１および便器８００にそれぞれ接続されているため、液体洗剤などの液体がカーテン６８５よりも後方に浸入することをより確実に抑制することができる。また、その他の効果についても、図４〜図９に関して前述した効果と同様の効果を得ることができる。
【００８０】
以上説明したように、本実施形態によれば、ケーシング２００の下方における便器８００の上面８２０には、上方に立ち上げられた立壁部６００が設けられている。すなわち、立壁部６００は、便器８００の上面８２０から上方に向かって延在している。そのため、使用者が、上昇したケーシング２００と、便器８００の上面８２０と、の間の隙間に液体洗剤などの液体を噴射した場合でも、立壁部６００は、その液体を堰き止めることができる。これにより、液体洗剤などの液体が立壁部６００よりも後方に浸入することを抑制することができ、その液体が便器８００の後方からトイレ室の床面に落ちることを抑制することができる。また、立壁部６００は、液体洗剤などの液体がケーシング２００に内蔵された電気機器にかかることを抑制することができるため、その電気機器が故障したり損傷したりすることを抑制することができる。これらは、前述した変形例の立壁部についても、同様の効果を得ることができる。
【００８１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、立壁部６００や昇降装置５００などが備える各要素の形状、寸法、材質、配置などや浸入抑制部材６１０および表面シート６２０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８２】
１００ 局部洗浄装置、  ２００ ケーシング、  ２１０ ケースカバー、  ２２０ ケースプレート、  ２２１ パッキン、  ２２３ 凹部、  ２４０ 固定具、  ２６０ 熱交換器、  ３００ 便座、  ４００ 便蓋、  ５００ 昇降装置、  ５３０ 回動軸、  ５３１ ハンドルレバー、  ５４０ ハンドル、  ５５０ 支柱、  ６００ 立壁部、  ６１０ 浸入抑制部材、  ６１１ 平面部、  ６１３ 壁面部、  ６１５ 係合孔、  ６２０ 表面シート、  ６３０ 立壁部、  ６４０ 立壁部、  ６５０ 立壁部、  ６６０ 立壁部、  ６６１ 壁面シート、  ６６３ 回動軸、  ６７０ 立壁部、  ６７１ 蛇腹部材、  ６７３ リブプレート、  ６７３ａ 平面部、  ６７３ｂ リブ、  ６８０ 立壁部、  ６８１ カーテンレバー、  ６８３ 回動軸、  ６８５ カーテン、  ８００ 便器、  ８１０ ボウル、  ８２０ 上面、  ８３０ パネル、  ８４０ ガイドプレート、  ８４３ 係合凸部、  ８５０ 収納空間、  ８６０ 立壁部、  ８６１ ラウンド部
【図１】
2010270546.tif 000003
【図２】
2010270546.tif 000004
【図３】
2010270546.tif 000005
【図４】
2010270546.tif 000006
【図５】
2010270546.tif 000007
【図６】
2010270546.tif 000008
【図７】
2010270546.tif 000009
【図８】
2010270546.tif 000010
【図９】
2010270546.tif 000011
【図１０】
2010270546.tif 000012
【図１１】
2010270546.tif 000013
【図１２】
2010270546.tif 000014
【図１３】
2010270546.tif 000015
【図１４】
2010270546.tif 000016
【図１５】
2010270546.tif 000017
【図１６】
2010270546.tif 000018